(57)【要約】【課題】ラックに取り付けられて電源機器を支持する電源機器のレールユニットにおいて、重量の大きい電源機器を的確に載置する。【解決手段】ラックＲ１に取り付けられて電源機器Ｐ１を支持する電源機器のレールユニット１において、電源機器Ｐ１の重量を互いが離れている複数の部位７、９で分散して受けるように構成されている。【選択図】図１
2008047748.tif 000002
【特許請求の範囲】
【請求項１】
ラックに取り付けられて電源機器を支持する電源機器のレールユニットにおいて、
前記電源機器の重量を互いが離れている複数の部位で分散して受けるように構成されていることを特徴とする電源機器のレールユニット。
【請求項２】
ラックに取り付けられるベース部材と；
前記ベース部材に対してスライド自在に設けられたスライド部材と；
電源機器の重量を支持するために、前記スライド部材に設けられた第１の支持部と； 
前記電源機器の重量を支持するために、前記第１の支持部材から離れ前記スライド部材に設けられた第２の支持部と；
を有することを特徴とする電源機器のレールユニット。
【請求項３】
請求項２に記載の電源機器のレールユニットにおいて、
前記ベース部材は、長さを調整することができるように構成されていることを特徴とする電源機器のレールユニット。
【請求項４】
請求項２または請求項３に記載の電源機器のレールユニットにおいて、
前記スライド部材に載置されている前記電源機器は、前記スライド部材の移動方向で前記スライド部材に対して移動自在であり、
前記載置されている電源機器の、前記スライド部材に対する移動ストロークが規制される構成であることを特徴とする電源機器のレールユニット。
【請求項５】
長手方向に対して垂直な平面による断面が、ほぼ「コ」字状に形成されていると共に、前記長手方向の一端部に、ラックに取り付けるためのフランジ部を備えた第１のベース部材エレメントと；
長手方向に対して垂直な平面による断面が、ほぼ「コ」字状に形成されており、前記長手方向が前記第１のベース部材エレメントの長手方向と一致するようにして前記第１のベース部材エレメントに設置され、このように設置された状態で、前記長手方向の一端部側が前記第１のベース部材エレメントの他端部側に係合して、前記第１のベース部材エレメントに対して前記長手方向で移動自在になっていると共に、前記長手方向の他端部に、前記ラックに取り付けるためのフランジ部を備えた第２のベース部材エレメントと；
長手方向に対して垂直な平面による断面が、ほぼ「Ｚ」字状に形成されており、前記長手方向が前記第１のベース部材エレメントの長手方向と一致するようにして、リニアガイドベアリングを介し前記第２のベース部材エレメントに前記長手方向で移動自在に設置されているスライド部材と；
を有し、電源機器の底面の端部を前記スライド部材の下部に当接させ、また、前記電源機器の側面に一体的に設けられた支持具を前記スライド部材の上部に当接させて前記電源機器の重量を支えるようになっていることを特徴とする電源機器のレールユニット。
【発明の詳細な説明】
【技術分野】
【０００１】
本発明は、電源機器のレールユニットに係り、特に、ラックと電源機器との間に設置されて使用されるものに関する。
【背景技術】
【０００２】
従来、ラックに対して電子機器を容易に出し入れするためのレールユニットであって前記ラックと前記電子機器との間に設置されて使用されるものが知られている。
【０００３】
従来のレールユニットは、ラックに固定されるベース部とこのベース部に対してスライドするスライド部とを備えている。
【０００４】
そして、前記従来のレールユニットに前記電子機器を設置する場合には、前記ベース部を前記ラックに固定した状態で、前記スライド部を前記ラックの前方に突出させておき、前記スライド部に前記電子機器を設置している。
【０００５】
前記従来のレールユニットへの前記電子機器の設置が終わった後に、前記スライド部を前記電子機器と共に後側に移動し、前記電子機器を前記ラック内に収納している。
【０００６】
なお、前記従来のレールユニットに関する文献として、たとえば特許文献１を掲げることができる。
【特許文献１】特許第３６０６５６８号公報
【発明の開示】
【発明が解決しようとする課題】
【０００７】
ところで、前記従来のレールユニットでは、電子機器が軽量であるならば特に問題は発生しない。しかし、電子機器が電源機器である場合には、重量が大きいので（電源機器では質量が１００ｋｇを超え大きい場合には１７０ｋｇ程度あるので）、前記スライド部を前方に突出した状態で電源機器を設置すると、前記スライド部がたとえば開くように変形してしまい電源機器を的確に載置することができないという問題がある。
【０００８】
本発明は、前記問題点に鑑みてなされたものであり、ラックに取り付けられて電源機器を支持する電源機器のレールユニットにおいて、重量の大きい電源機器を的確に載置することができる電源機器のレールユニットを提供することを目的とする。
【課題を解決するための手段】
【０００９】
請求項１に記載の発明は、ラックに取り付けられて電源機器を支持する電源機器のレールユニットにおいて、前記電源機器の重量を互いが離れている複数の部位で分散して受けるように構成されている電源機器のレールユニットである。
【００１０】
請求項２に記載の発明は、ラックに取り付けられるベース部材と、前記ベース部材に対してスライド自在に設けられたスライド部材と、電源機器の重量を支持するために、前記スライド部材に設けられた第１の支持部と、前記電源機器の重量を支持するために、前記第１の支持部材から離れ前記スライド部材に設けられた第２の支持部とを有する電源機器のレールユニットである。
【００１１】
請求項３に記載の発明は、請求項２に記載の電源機器のレールユニットにおいて、前記ベース部材は、長さを調整することができるように構成されている電源機器のレールユニットである。
【００１２】
請求項４に記載の発明は、請求項２または請求項３に記載の電源機器のレールユニットにおいて、前記スライド部材に載置されている前記電源機器は、前記スライド部材の移動方向で前記スライド部材に対して移動自在であり、前記載置されている電源機器の、前記スライド部材に対する移動ストロークが規制される構成である電源機器のレールユニット。
【００１３】
請求項５に記載の発明は、長手方向に対して垂直な平面による断面が、ほぼ「コ」字状に形成されていると共に、前記長手方向の一端部に、ラックに取り付けるためのフランジ部を備えた第１のベース部材エレメントと、長手方向に対して垂直な平面による断面が、ほぼ「コ」字状に形成されており、前記長手方向が前記第１のベース部材エレメントの長手方向と一致するようにして前記第１のベース部材エレメントに設置され、このように設置された状態で、前記長手方向の一端部側が前記第１のベース部材エレメントの他端部側に係合して、前記第１のベース部材エレメントに対して前記長手方向で移動自在になっていると共に、前記長手方向の他端部に、前記ラックに取り付けるためのフランジ部を備えた第２のベース部材エレメントと、長手方向に対して垂直な平面による断面が、ほぼ「Ｚ」字状に形成されており、前記長手方向が前記第１のベース部材エレメントの長手方向と一致するようにして、リニアガイドベアリングを介し前記第２のベース部材エレメントに前記長手方向で移動自在に設置されているスライド部材とを有し、電源機器の底面の端部を前記スライド部材の下部に当接させ、また、前記電源機器の側面に一体的に設けられた支持具を前記スライド部材の上部に当接させて前記電源機器の重量を支えるようになっている電源機器のレールユニットである。
【発明の効果】
【００１４】
本発明によれば、ラックに取り付けられて電源機器を支持する電源機器のレールユニットにおいて、重量の大きい電源機器を的確に載置することができるという効果を奏する。
【発明を実施するための最良の形態】
【００１５】
図１は、電源機器Ｐ１および本発明の実施形態に係るレールユニット１の概略構成を示す斜視図である。図２は、レールユニット１を用いて電源機器Ｐ１をラックＲ１に収納した状態を示す平面図である。図３は、図１におけるＩＩＩ―ＩＩＩ断面を示す図である。図４は、スペーサの概略構成を示す図であり、図２におけるＩＶ−ＩＶ矢視を示す図である。
【００１６】
なお、図１は、ベース部材からスライド部材が突出している状態であって、電源機器Ｐ１がレールユニット１に載置される前の状態を示している。また、図２や図３では、中心線ＣＬ１の片側だけを描いてある。したがって、レールユニット１や電源機器Ｐ１等は、実際には、中心線ＣＬ１に対して対称になっている。
【００１７】
電源機器Ｐ１のレールユニット（以下、単に「レールユニット」という場合がある。）１は、ラックＲ１に取り付けられて電源機器Ｐ１を支持するためのものであり、より詳しくは、ラックＲ１と電源機器Ｐ１との間に設置されて、電源機器Ｐ１を、ラックＲ１から出し入れ可能にすると共にラックＲ１内に収納し固定するために使用されるものである。
【００１８】
レールユニット１は、図１等から理解できるように、電源機器Ｐ１の左右に設置され１対で使用されるようになっている。１対のレールユニットは、鏡面（平面）に対して対称な形状に形成されている。以下１対のレールユニットのうちで、図１の手前側に示されているものを例に掲げて詳しく説明する。
【００１９】
レールユニット１は、ラックＲ１に取り付けられるベース部材３と、ベース部材３に対してスライド自在に設けられたスライド部材５とを備えて構成されている。
【００２０】
スライド部材５には、電源機器Ｐ１の重量を支持するための第１の支持部７と、電源機器Ｐ１の重量を支持するための第２の支持部９とが設けられている。なお、第１の支持部７と、第２の支持部９とは、互いが離れたところに設けられている。
【００２１】
ベース部材３は、長さ（図１の示す前後方向の長さ）を調整することができるように構成されている。
【００２２】
より詳しく説明すると、ベース部材３は、この長手方向で長さを調整可能なようになっており、スライド部材５は、この長手方向がベース部材３の長手方向と一致するようにしてベース部材３に設けられていると共に、スライド部材５は、この長手方向でベース部材３に対してスライド自在になっている。
【００２３】
レールユニット１は、スライド部材５をラックＲ１の手前側に引き出す（突出させる）ことができるように、ラックＲ１に取り付けて使用されるものである。なお、レールユニット１がラックＲ１に取り付けられた状態では、ベース部材３、スライド部材５は、これらの長手方向がラックＲ１の前後方向（図１の前後方向；水平方向であってラックＲ１の手前側と奥側とを互いに結ぶ方向）になる。
【００２４】
電源機器Ｐ１は直方体状に形成されており、長方形状の底面や上面が水平になり、長方形状の前面がラックＲ１の手前側に位置し、長方形状の後面がラックＲ１の奥側に位置するようにして、レールユニット１を用いて、ラックＲ１に設置される。
【００２５】
第１の支持部７は、電源機器Ｐ１の底面の一部に接触して電源機器Ｐ１の重量を支持する部位である。第２の支持部９は、長方形状の電源機器Ｐ１の側面に一体的に設けられた支持具（電源機器Ｐ１の側面に取り付けられる支持具）１１に接触して電源機器Ｐ１の重量を支持する部位である。
【００２６】
さらに、レールユニット１をラックＲ１に取り付けて、スライド部材５をラックＲ１の前側に引き出した状態で、側面に支持具１１を設置した電源機器Ｐ１を、レールユニット１の上方からスライド部材５に載置し設置することができるようになっている。
【００２７】
また、スライド部材５に載置されスライド部材５で重量を支持されている電源機器Ｐ１は、スライド部材５と滑り対偶をなし、スライド部材５の移動方向（図１の前後方向）で、スライド部材５に対して移動自在になっている。ただし、この場合の移動ストロークは、スライド部材５に設けられている当接部（ストッパー）と、支持具１１に設けられている当接部（ストッパー）とが互いに当接することによって、規制されるように構成されている。
【００２８】
ここで、レールユニット１についてさらに詳しく説明する。
【００２９】
ベース部材３は、第１のベース部材エレメント１３と、第２のベース部材エレメント１５とを備えて構成されている。
【００３０】
第１のベース部材エレメント１３は、この長手方向に対して垂直な平面による断面が、ほぼ「コ」字状に形成されていると共に、前記長手方向の一端部に、ラックＲ１に取り付けるためのフランジ部１７を備えている（図３参照）。
【００３１】
さらに、説明すると、第１のベース部材エレメント１３は、この長手方向に対して垂直な平面による断面が、第１の部位１９、第２の部位２１、第３の部位２３、第４の部位２５、第５の部位２７を備えて、ほぼ「コ」字状に形成されている。
【００３２】
詳しく説明すれば、第１のベース部材エレメント１３は、この長手方向に対して垂直な平面による断面が、所定の細い幅（図３における左右方向の寸法）で所定の長さ（図３における上下方向の寸法）だけ延びている第１の部位１９と、この第１の部位１９の延伸方向（図３における上下方向）に直交する方向（図３における左方向）に第１の部位１９の延伸方向の一端部（図３における下部）から所定の短い長さだけ第１の部位１９とほぼ同じ細い幅で延びている第２の部位２１と、第１の部位１９の延伸方向に直交する方向であって第２の部位２１が延びている側の方向（図３における左方向）に第１の部位１９の延伸方向の他端部（図３における上部）から第２の部位２１とほぼ同じ所定の短い長さだけ第１の部位１９とほぼ同じ細い幅で延びている第３の部位２３と、第１の部位１９の延伸方向と平行な方向であって第１の部位１９の延伸方向の他端部側の方向（図３の上方向）に第２の部位２１の延伸方向の先端部（図３における第２の部位の左端部）から所定の短い長さだけ第１の部位１９とほぼ同じ細い幅で延びている第４の部位２５と、第１の部位１９の延伸方向と平行な方向であって第１の部位１９の延伸方向の一端部側の方向（図３の下方向）に第３の部位２３の延伸方向の先端部（図３における第３の部位の左端部）から第４の部位２５とほぼ同じ所定の短い長さだけ第１の部位１９とほぼ同じ細い幅で延びている第５の部位２７とを備えてほぼ「コ」字状に形成されている。
【００３３】
第１のベース部材エレメント１３は、薄い平板状の部材を切断加工や打ち抜き加工や曲げ加工することによって生成されている。フランジ部１７は、第１の部位１９の延伸方向から眺めた場合、図２に示すように「コ」字状に形成されており、この「コ」字状の先端部の平板状部位が、平板状のスペーサ２９を間にして、ボルト等の締結具を用いて、ラックＲ１に固定されることにより、第１のベース部材エレメント１３（ベース部材３）が、ラックＲ１に固定されるようになっている。
【００３４】
なお、スペーサ２９は、サラビス３０等の締結具によって、フランジ部１７に位置決めされて固定されている。また、スペーサ２９には、プレス加工等によって僅かな高さの突起（図４の紙面の奥側の突出している突起）３１が設けられており、これらの突起３１が、ラックＲ１に設けられた孔Ｒ３に係合することにより、第１のベース部材エレメント１３が、図１の上下方向および左右方向で位置決めされてラックＲ１に取り付けられるようになっている。
【００３５】
第２のベース部材エレメント１５は、この長手方向に対して垂直な平面による断面が、第５の部位が存在しない点は異なるが、第１のベース部材エレメント１とほぼ同様になっている。
【００３６】
すなわち、第１のベース部材エレメント１３の第１の部位１９とほぼ同じ所定の細い幅で、第１のベース部材エレメント１３の第１の部位１９よりも僅かに短い所定の長さだけ延びている第１の部位３３と、第１の部位３３の延伸方向に直交する方向に第１の部位３３の延伸方向の一端部から第１のベース部材エレメント１３の第２の部位２１よりも僅かに短い所定の長さだけ第１の部位３３とほぼ同じ細い幅で延びている第２の部位３５と、第１の部位３３の延伸方向に直交する方向であって第２の部位３５が延びている側の方向に第１の部位３３の延伸方向の他端部から第２の部位３５とほぼ同じ所定の長さだけ第１の部位３３とほぼ同じ細い幅で延びている第３の部位３７と、第１の部位３３の延伸方向と平行な方向であって第１の部位３３の延伸方向の他端部側の方向に第２の部位３５の延伸方向の先端部（第１の部位３３とは反対側の端部）から所定の短い長さだけ第１の部位３３とほぼ同じ細い幅で延びている第４の部位３９とを備え、第１のベース部材エレメント１３の断面よりも僅かに小さくほぼ「コ」字状に形成されている。
【００３７】
そして、第２のベース部材エレメント１５の長手方向が第１のベース部材エレメント１３の長手方向と一致するようにして、第２のベース部材エレメント１５が第１のベース部材エレメント１３に設置され、このように設置された状態で前記長手方向から眺めると、図３から理解することができるように、第１のベース部材エレメント１３の内側に第２のベース部材エレメント１５が位置し、第２のベース部材エレメント１５の第１の部位３３と第１のベース部材エレメント１３の第１の部位１９とが互いに係合し（ほぼ接触して摺動するように係合し）、また、各エレメントの各部位も同様に係合し、第１のベース部材エレメント１３に対して第２のベース部材エレメント１５がこの長手方向で移動自在になっている。そして、ベース部材３の長さを調整することができるようになっている。
【００３８】
なお、第２のベース部材エレメント１５は、図２から理解されるように、この長手方向の一端部側で第１のベース部材エレメント１３の他端部側に係合している。また、第２のベース部材エレメント１５の長手方向の他端部には、ラックに取り付けるためのフランジ部４１が設けられている。
【００３９】
第２のベース部材エレメント１５は、第１のベース部材エレメント１３とほぼ同じ厚さの薄い平板状の部材を切断加工や打ち抜き加工や曲げ加工することによって生成されている。フランジ部４１は、平板状に形成されており、この平板状の部位が、第１のベース部材エレメント１３の固定に用いたスペーサ２９と同様な平板状のスペーサ４３を間にして、ボルト等の締結具を用いて、ラックＲ１に固定されることにより、第２のベース部材エレメント１５（ベース部材３）が、図１の上下方向および左右方向で、ラックＲ１に位置決めされて固定されるようになっている。
【００４０】
また、第１のベース部材エレメント１３の長さと第２のベース部材エレメント１５の長さとは、たとえば、互いがほぼ同じになっており、第２のベース部材エレメント１５を、第１のベース部材エレメント１３の最も一端部側寄り（図１の矢印ＡＲ１の方向）に移動した場合には、ベース部材３の長さ（第１のベース部材エレメント１３の一端部から第２のベース部材エレメント１５の他端部までの長さ）が最も短くなり、第１のベース部材エレメント１３の長さより僅かに長い程度になる。
【００４１】
一方、第２のベース部材エレメント１５を、第１のベース部材エレメント１３の最も他端部側寄り（図１の矢印ＡＲ１とは反対の方向）に移動した場合には、ベース部材３の長さが最も長くなる。このように、ベース部材３の長さが最も長くなった場合であっても、各ベース部材エレメント１３、１５の長手方向において、第２のベース部材エレメント１５の一端部から中間部にかけての所定の長さ（たとえば、第２のベース部材エレメント１５の長さの１／３の長さ）の部位が、第１のベース部材エレメント１３に係合している。
【００４２】
前述したように構成されていることによって、ラックＲ１の大きさに合わせてベース部材３の長さを調節し、ベース部材３をラックＲ１に取り付けることができるようになっている。
【００４３】
なお、第１のベース部材エレメント１３に対して第２のベース部材エレメント１５が無制限に移動し、たとえば、第１のベース部材エレメント１３から第２のベース部材エレメント１５が抜けおちてしまうことを防止するために、各ベース部材エレメント１３、１５には、ストッパー（図示せず）が設けられている。このストッパーは、たとえば、各ベース部材エレメント１３、１５の一部（小さい部位）を、折り曲げ加工等することによって形成されている。また、前記ストッパーが設けられていることにより、前述したような範囲で、ベース部材３の長さが変化するようになっている。
【００４４】
スライド部材５は、この長手方向に対して垂直な平面による断面が、図３に示すように、第１の部位４５、第２の部位４７、第３の部位４９を備えて、ほぼ「Ｚ」字状に形成されている。
【００４５】
詳しく説明すれば、スライド部材５は、この長手方向に対して垂直な平面による断面が、第１のベース部材エレメント１３の第１の部位１９とほぼ同じ所定の細い幅で、第１のベース部材エレメント１３の第１の部位１９よりも長い所定の長さ（図３における上下方向の寸法）だけ延びている第１の部位４５と、第１の部位４５の延伸方向に直交する方向（図３の左方向）に第１の部位４５の延伸方向の一端部から第１の部位４５よりも短い所定の長さだけ第１の部位４５とほぼ同じ細い幅で延びている第２の部位４７と、第１の部位４５の延伸方向に直交する方向であって第２の部位４７が延びている側の方向とは逆の方向（図３の右方向）に第１の部位４５の延伸方向の他端部から第２の部位４７よりも短い所定の長さだけ第１の部位４５とほぼ同じ細い幅で延びている第３の部位４９とを備えてほぼ「Ｚ」字状に形成されている。
【００４６】
また、スライド部材５は、この長手方向が第１のベース部材エレメント１３の長手方向と一致するようにして、リニアガイドベアリング５１を介し第２のベース部材エレメント１５に前記長手方向で移動自在に設置されている。このように設置された状態で、前記長手方向から眺めると、図３で示すように、スライド部材５の第１の部位４５が各ベース部材エレメント１３、１５の第１の部位１９、３３と平行に延伸し、スライド部材５の第１の部位４５が、各ベース部材エレメント１３、１５の第２の部位２１、３５と第３の部位２３、３７とが設けられている側で、各ベース部材エレメント１３、１５から所定の距離だけ離れており、スライド部材５の第２の部位４７が、第１の部位４５の延伸方向で、第１のベース部材エレメント１３の第２の部位２１とほぼ同じところに位置しており、第３の部位４９が、第１の部位４５の延伸方向で、第１のベース部材エレメント１３の第３の部位２３から所定の距離だけ離れたところに位置している。
【００４７】
そして、電源機器Ｐ１の底面の端部をスライド部材５の下部（第２の部位４７）に当接させ、また、電源機器Ｐ１の側面に一体的に設けられた支持具１１をスライド部材５の上部（第３の部位４９）に当接させて電源機器Ｐ１の重量を分散して支えるようになっている。
【００４８】
なお、スライド部材５の長さは、各ベース部材エレメント１３、１５の長さよりも僅かに短くなっていると共に、電源機器Ｐ１の奥行き寸法よりも僅かに長くなっている。
【００４９】
リニアガイドベアリング５１は、第２のベース部材エレメント１５に一体的に設置されるベース部材側レール部材と、スライド部材５に一体的に設置されるスライド部材側レール部材と、前記各レール部材の間に設けられたボールユニット（リテーナで保持されたボールユニット）とを備えて構成されている。そして、前記ベース部材側レール部材に対して前記スライド部材側レール部材がこれらの長手方向で移動するようになっている。
【００５０】
前記各レール部材の長さは、各ベース部材エレメント１３、１５の長さよりも僅かに短く、また、スライド部材５の長さよりも僅かに長くなっている。
【００５１】
そして、前記ベース部材側レール部材は、この長手方向が第２のベース部材エレメント１５の長手方向に一致するようにして、さらに、前記ベース部材側レール部材の長手方向の一端端部と、第２のベース部材エレメント１５の長手方向の一端部とが互いにほぼ一致して、ボルト等の締結具を用い第２のベース部材エレメント１５に一体的に設けられている。
【００５２】
また、前記スライド部材側レール部材は、この長手方向がスライド部材５の長手方向に一致するようにして、さらに、前記スライド部材側レール部材の長手方向の両端部がスライド部材５の長手方向の両端部から僅かにはみ出すようにして、ボルト等の締結具を用いスライド部材５に一体的に設けられている。
【００５３】
このように構成されていることにより、スライド部材５はベース部材３に対して転がり対偶をなして直線的に移動可能になっている。なお、スライド部材５を、第１のベース部材エレメント１３の最も一端部側寄り（図１の矢印ＡＲ１の方向）に移動した場合には、長手方向（前後方向）においてスライド部材５がベース部材の内側に引っ込んだ状態になり、電源機器Ｐ１がスライド部材５の所定の位置に載置されていれば、電源機器Ｐ１がラックＲ１内に収納される。
【００５４】
一方、スライド部材５を、第１のベース部材エレメント１３の最も他端部側寄り（図１の矢印ＡＲ１とは反対の方向）に移動した場合には、長手方向（前後方向）においてスライド部材５がベース部材３から突出した状態になる。この突出した状態で、スライド部材５への電源機器Ｐ１の載置がなされもしくはスライド部材５に載置されている電源機器Ｐ１の取り出しがなされる。
【００５５】
前記突出した状態では、スライド部材５（ベース部材エレメント１３、１５）の長手方向において、スライド部材５の一端部から中間部にかけての所定の長さ（たとえば、スライド部材５の長さの１／４の長さ）の部位が、第２のベース部材エレメント１５と重なり合い、スライド部材５の他端部から中間部にかけての所定の長さ（たとえば、スライド部材の長さの３／４の長さ）の部位が、第２のベース部材エレメント１５（ベース部材３）から突出している。
【００５６】
なお、第２のベース部材エレメント１５に対してスライド部材５が無制限に移動し、たとえば、第２のベース部材エレメント１５からスライド部材５が抜けおちてしまうことを防止するために、第２のベース部材エレメント１５やスライド部材５には、ストッパーが設けられている。このストッパーは、たとえば、第２のベース部材エレメント１５やスライド部材５の一部（小さい部位）を、折り曲げ加工等することによって形成されている。また、前記ストッパーが設けられていることにより、前述したような範囲で、スライド部材５が移動するようになっている。
【００５７】
また、リニアガイドベアリング５１は、第２のベース部材エレメント１５の第１の部位３３の延伸方向やスライド部材５の第１の部位４５の延伸方向に並んで、複数（図３等では３つ）設けられている。
【００５８】
スライド部材５も、第２のベース部材エレメント１５と同様に、第１のベース部材エレメント１３とほぼ同じ厚さの薄い平板状の部材を切断加工や打ち抜き加工や曲げ加工することによって生成されている。
【００５９】
次に、電源機器Ｐ１に取り付けられる支持具１１についてより詳しく説明する。
【００６０】
支持具１１の長さは、電源機器Ｐ１の奥行きの寸法よりも僅かに短くなっている。また、支持具１１は、この長手方向に対して垂直な平面による断面が、スライド部材５の第１の部位４５とほぼ同じ所定の細い幅で、スライド部材５の第３の部位４９よりも僅かに長い所定の長さだけ延びている第１の部位５３と、この第１の部位５３の延伸方向に直交する方向に第１の部位５３の延伸方向の一端部から第１の部位５３よりも長い所定の長さだけ第１の部位５３とほぼ同じ細い幅で延びている第２の部位５５と、第１の部位５３の延伸方向に直交する方向であって第２の部位５５が延びている側の方向とは逆の方向に第１の部位５３の延伸方向の他端部から第１の部位５３よりも短い所定の長さだけ第１の部位５３とほぼ同じ細い幅で延びている第３の部位５７とを備えてほぼ「Ｚ」字状に形成されている。
【００６１】
なお、支持具１１の長手方向の両端部には、各ストッパー（当接部）５９、６１が形成されている（図１参照）。また、支持具１１も、第２のベース部材エレメント１５と同様に、第１のベース部材エレメント１３とほぼ同じ厚さの薄い平板状の部材を切断加工や打ち抜き加工や曲げ加工することによって生成されている。
【００６２】
支持具１１は、この長手方向が電源機器Ｐ１の前後方向になるように、また、長手方向において、電源機器Ｐ１の内側に位置するようにして、さらに、図３に示すようい、第２の部位５５が電源機器Ｐ１の側面に接触するようにして、ボルト等の締結具を用いて電源機器Ｐ１の側面の所定の位置に一体的に設置されて使用される。
【００６３】
支持具１１がこのように設置された状態では、支持具１１の第１の部位５３は、電源機器Ｐ１の側面から僅かに離れる方向に僅かに延伸し、また、支持具１１の第１の部位５３は、電源機器Ｐ１の前後方向に長く延伸している。さらに、支持具１１の第３の部位５７は、第２の部位５５よりも下側（電源機器Ｐ１の底面側）に位置している。
【００６４】
前述したように、支持具１１が設置されて電源機器Ｐ１を、スライド部材５に載置すると、図３に示すように、電源機器Ｐ１の底面の両端部がスライド部材５の第２の部位４７に当接し、また、支持具１１の第１の部位５３がスライド部材５の第３の部位４９に当接し、スライド部材５の第２の部位４７とスライド部材５の第３の部位４９とで、電源機器Ｐ１の重量を支持するようになっている。
【００６５】
なお、このようにしてスライド部材５で電源機器Ｐ１の重量を支持すると、スライド部材５が、ベース部材３から突出している状態においては、電源機器Ｐ１の重量によってスライド部材５が開く方向（図３に矢印ＡＲ３で示す方向）に変形するおそれがあるが、支持具１１の第３の部位５７が、スライド部材５の第３の部位４９に当接するので、前述したスライド部材５の変形を確実に防止することができる。
【００６６】
ところで、支持具１１の長手方向の両側には、前述したストッパー（矩形な板状のストッパー）５９、６１が形成されている。また、スライド部材５の第３の部位４９は、この長手方向において、スライド部材５の他端部（第２のベース部材エレメント１５から突出する側の部位）から中間にかけて設けられており（図１に示すスライド部材５の全長Ｌ３に対して長さＬ１だけ設けられており）、スライド部材５の第３の部位４９の長さＬ１は、支持具１１の長さよりも短くなっている。このように構成されていることによって、スライド部材５の第３の部位４９の長手方向の両端部が、支持具１１のストッパー５９、６１に当接するストッパー（当接部）になり、スライド部材５に載置された電源機器（支持具１１が設置された電源機器）Ｐ１を、スライド部材５に対して相対的に、図１に示す前後方向で所定のストロークだけ移動することができるようになっている。
【００６７】
次に、レールユニット１を用いて電源機器Ｐ１をラックＲ１に設置する手順について説明する。
【００６８】
まず、ベース部材３の長さを調整し、レールユニット１をラックＲ１に固定する。この固定によって、ベース部材３は、ラックＲ１の内側に存在する。
【００６９】
続いて、スライド部材５を前側に突出させ、この突出したスライド部材５に、電源機器（支持具１１が設置された電源機器）Ｐ１を載置する。この載置をするときの電源機器Ｐ１の前後方向における位置であるが、なるべく、ラックＲ１から離れた位置、すなわち、図１に示す前側であることが望ましい。すなわち、スライド部材５の第３の部位４９が、長手方向において支持具１１の内側に収まり、かつ、スライド部材５に対して、電源機器Ｐ１ができるだけ前側に位置するようにして、載置することが望ましい。このようにすれば、作業者がラックＲ１から離れており載置の作業がしやすい。
【００７０】
このように載置した状態で、ベース部材３に対してスライド部材５を後側に移動し、スライド部材５と電源機器Ｐ１とをラックＲ１の内部に位置させ、図１に示す支持具１１のストッパー（前側のストッパー）５９が、スライド部材５の第３の部位４９に当接するまで、電源機器Ｐ１をスライド部材５に対して移動し位置決めする。
【００７１】
次に、電源機器Ｐ１のフランジ部Ｐ３を、ボルト等の締結具を用いてラックＲ１に一体的に固定し、電源機器Ｐ１をラックＲ１に一体的に設置する。
【００７２】
レールユニット１によれば、第１の支持部７、第２の支持部９のように互いが離れた複数の部位で、電源機器Ｐ１の重量を分散して支持するので、スライド部材５が突出している状態で電源機器Ｐ１が載置された場合、スライド部材５の剛性を上げなくても、スライド部材５が開く等のスライド部材５の変形を小さくすることができ、重量の大きい（たとえば、１７０ｋｇ程度）電源機器Ｐ１を的確に載置することができる。
【００７３】
また、レールユニット１によれば、ベース部材３の長さが調整可能になっているので、サイズの異なるラックＲ１へのレールユニット１の設置が容易になっている。
【００７４】
さらに、レールユニット１によれば、ストッパー５９、６１を設けて、スライド部材５に載置された電源機器Ｐ１のストロークを規制しているので、スライド部材５に載置された状態で電源機器Ｐ１を移動し位置決めする際に、電源機器Ｐ１が落下すること等を防止することができる。
【００７５】
また、レールユニット１によれば、スライド部材５の第３の部位４９で電源機器Ｐ１の重量の一部を支えているので、図３から理解されるように、剛性が大きいもの（スライド部材５の第１の部位４５が上下方向に長く延びていることによりスライド部材５の断面二次モーメントが大きくなっているもの）で、スライド部材５が電源機器Ｐ１の重量を支持していることになり、スライド部材５が変形しにくくなっている。
【００７６】
また、部材５や各エレメント１３、１５や支持具１１の厚さが同じになっているので、１種類の板状の素材から部材５や各エレメント１３、１５や支持具１１を効率よく製造することができる。
【００７７】
なお、レールユニット１は、ラックに取り付けられて電源機器を支持する電源機器のレールユニットにおいて、前記電源機器の重量を互いが離れている複数の部位で分散して受けるように構成されているレールユニットの例である。
【図面の簡単な説明】
【００７８】
【図１】電源機器および本発明の実施形態に係るレールユニットの概略構成を示す斜視図である。
【図２】レールユニットを用いて電源機器をラックに収納した状態を示す平面図である。
【図３】図１におけるＩＩＩ―ＩＩＩ断面を示す図である。
【図４】スペーサの概略構成を示す図であり、図２におけるＩＶ−ＩＶ矢視を示す図である。
【符号の説明】
【００７９】
１  レールユニット
３  ベース部材
５  スライド部材
７  第１の支持部
９  第２の支持部
１１  支持具
１３  第１のベース部材エレメント
１５  第２のベース部材エレメント
Ｐ１  電源機器
Ｒ１  ラック
【図１】
2008047748.tif 000003
【図２】
2008047748.tif 000004
【図３】
2008047748.tif 000005
【図４】
2008047748.tif 000006